(57)【要約】      （修正有）【課題】壁面と床面との隅部に用いる畳寄せと巾木とを兼用することができ、しかもその部材の天端に塵や埃がたまりにくい構造とすることにより、衛生面及び健康面にも留意した畳寄せ巾木兼用部材を提供する。【解決手段】壁面２と床面３の隅部に用いる畳寄せと巾木とに兼用し得る畳寄せ巾木兼用部材１であって、合成樹脂から形成された長尺板形状の天端４を湾曲状に凹んだ下り勾配を有する傾斜面の形状にしたものであり、畳寄せ巾木兼用部材は、抗菌剤を練り込んだ合成樹脂から形成するのが望ましい。【選択図】図３
0003185076.tif 000002
【実用新案登録請求の範囲】
【請求項１】
壁面と床面の隅部に用いる畳寄せと巾木とに兼用し得る畳寄せ巾木兼用部材であって、合成樹脂から形成された長尺板形状の天端を湾曲状に凹んだ下り勾配を有する傾斜面の形状にしたことを特徴とする畳寄せ巾木兼用部材。
【請求項２】
畳寄せ巾木兼用部材は、抗菌剤を練り込んだ合成樹脂から形成したことを特徴とする請求項１記載の畳寄せ巾木兼用部材。
【請求項３】
畳寄せ巾木兼用部材の前面の途中に長尺方向に沿って凹溝を形成したことを特徴とする請求項１又は２記載の畳寄せ巾木兼用部材。
【請求項４】
畳寄せ巾木兼用部材の背面の上部を後方へ傾斜した勾配面を有する形状に形成したことを特徴とする請求項１、２又は３記載の畳寄せ巾木兼用部材。
【考案の詳細な説明】
【技術分野】
【０００１】
本考案は、壁面と床面との隅部に用いる畳寄せと巾木とを兼用することができ、しかもその部材の天端に塵や埃がたまりにくい構造の畳寄せ巾木兼用部材に関する。
【背景技術】
【０００２】
従来から、住宅等の畳敷き床では、壁際の見切り部分に畳寄せが用いられている。この畳寄せは、通常、断面長方形の木製部材を長尺に形成し、畳と壁の下部が接する部分に取り付けることによって、畳の側部と壁面とに生じた隙間を充填するようにしたものである。このような木製の畳寄せは、周知の通り、伝統的な日本家屋に従来から用いられるものであるが、畳敷きの床面と壁面との入り隅コーナー等は結露や湿気等によってカビやダニが発生しやすい環境となる。
【０００３】
ところで、畳寄せの従来技術としては、特許文献１に記載されたものがある。この文献の畳寄せは、部材を上段板材と下段板材に分割した２段構造としてあり、清掃時に掃除機等が当たった際にも壁部の汚れや破損がないようにしている。
【０００４】
一方、上記の畳寄せと同様に、床面と壁面との見切り部に設ける部材として、従来から、巾木が用いられている。この巾木は、床面と壁面との境界部を隠すと共に、壁の保護、又は見切りとしての意匠性を重視して取り付けられている。
【０００５】
一方、近年において、病院や福祉施設等では従来の木製に代わり、合成樹脂製の巾木が用いられ、移動ベッドや車椅子等が衝突したり接触した場合でも、壁面が損傷したり、汚れたりすることがないようにしている。
【０００６】
この巾木の従来技術としては、特許文献２に記載されたものがある。この文献の巾木は、構成材料を着色合成樹脂や発光性の合成樹脂を用いて作成することにより、階段の段差等を容易に識別することが可能となるようにしたものである。
【０００７】
ところで、上記の特許文献１の畳寄せや特許文献２の巾木は、衛生面から見ると、いずれも不都合な面を有する。即ち、特許文献１の畳寄せは、上段板材の天端が平坦であり、この天端に塵や埃がたまりやすく、掃除機等ではその塵や埃を除去するのは容易ではない。また、特許文献２の巾木は、天端の角部が外側へ突出した湾曲形状を有するため、その上部に塵や埃がたまりやすく、掃除機等で除去するのは困難であった。
【先行技術文献】
【特許文献】
【０００８】
【特許文献１】実開平５−４７１９２号公報
【特許文献２】特開２００２−８２６３８号公報
【考案の概要】
【考案が解決しようとする課題】
【０００９】
本考案は、上記の問題点を解消するために成されたものであり、壁面と床面との隅部に用いる畳寄せと巾木とを兼用することができ、しかもその部材の天端に塵や埃がたまりにくい構造とすることにより、衛生面及び健康面にも留意した畳寄せ巾木兼用部材を提供することを目的とする。
【課題を解決するための手段】
【００１０】
上記の目的を達成するために、本考案における請求項１の畳寄せ巾木兼用部材は、壁面と床面の隅部に用いる畳寄せと巾木とに兼用し得る畳寄せ巾木兼用部材であって、合成樹脂から形成された長尺板形状の天端を湾曲状に凹んだ下り勾配を有する傾斜面の形状にしたことを特徴とする。
【００１１】
また、本考案の請求項２の畳寄せ巾木兼用部材は、請求項１において、畳寄せ巾木兼用部材は、抗菌剤を練り込んだ合成樹脂から形成したことを特徴とする。
【００１２】
また、本考案の請求項３の畳寄せ巾木兼用部材は、請求項１又は２において、畳寄せ巾木兼用部材の前面の途中に長尺方向に沿って凹溝を形成したことを特徴とする。
【００１３】
さらに、本考案の請求項４の畳寄せ巾木兼用部材は、請求項１、２又は３において、畳寄せ巾木兼用部材の背面の上部を後方へ傾斜した勾配面を有する形状に形成したことを特徴とする。
【考案の効果】
【００１４】
本考案の畳寄せ巾木兼用部材によれば、合成樹脂から形成された長尺板形状の天端を湾曲状に凹んだ下り勾配を有する傾斜面の形状にしている。このような形状によって、天端に塵や埃が降りかかったときでも、それらの塵や埃が湾曲状に凹んだ下り勾配を有する傾斜面に沿って滑り落ち易く、この天端に塵や埃が堆積しにくい構造とされている。また、畳寄せ巾木兼用部材の天端を清掃する場合、天端の塵や埃を除去しやすく、容易に清掃を行うことが可能となる。
【００１５】
このように、本考案の畳寄せ巾木兼用部材は、天端に塵や埃がたまりにくい構造とすることにより、衛生面及び健康面にも有益な畳寄せ巾木兼用部材として利用することが可能である。
【００１６】
さらに、本考案の畳寄せ巾木兼用部材は、壁面と床面の隅部に用いる畳寄せと巾木とに兼用することが可能である。この畳寄せ巾木兼用部材を畳寄せとして使用した場合、天端の傾斜面は畳の上面から壁面へと湾曲状にせり上がるサニタリー部として有益である。また、畳寄せ巾木兼用部材を巾木として使用した場合、床面から所定高さだけ立ち上がった部位で天端に湾曲状に凹んだ下り勾配を有する傾斜面が形成されることとなり、上記のように塵や埃を溜めにくいサニタリー部として有益となる。
【図面の簡単な説明】
【００１７】
【図１】本考案による実施例の畳寄せ巾木兼用部材を前面側から見た斜視図である。
【図２】本考案による実施例の畳寄せ巾木兼用部材を後面側から見た斜視図である。
【図３】本考案による実施例の畳寄せ巾木兼用部材に関する図であり、（ａ）は端面図、(ｂ)は（ａ）の一点鎖線で示す円形部の拡大図、(ｃ)は角部の寸法を示す断面図である。
【図４】本考案による実施例の畳寄せ巾木兼用部材を畳寄せとして、コンクリート打放しの壁部に使用した場合の断面図である。
【図５】本考案による実施例の畳寄せ巾木兼用部材を畳寄せとして、ＧＬ工法の壁部に使用した場合の断面図である。
【図６】本考案による実施例の畳寄せ巾木兼用部材を巾木として使用した場合の断面図である。
【考案を実施するための形態】
【実施例】
【００１８】
本実施例の畳寄せ巾木兼用部材１は、図４〜図６に示すように、壁面２と床面３の隅部に用いる畳寄せと巾木とに兼用し得る建築部材として用いることができる。また、本実施例の畳寄せ巾木兼用部材１の構成は、図１又は図２に示すように、合成樹脂から形成された長尺板形状の天端４を湾曲状に凹んだ下り勾配を有する傾斜面５の形状に形成したものである。
【００１９】
以下、このような本実施例の畳寄せ巾木兼用部材１について述べる。まず、本実施例の畳寄せ巾木兼用部材１の形成材料としては、抗菌剤を練り込んだ合成樹脂を使用し、押し出し成形等によって、図１又は図２に示すような長尺部材に形成することができる。
【００２０】
また、本実施例の畳寄せ巾木兼用部材１は、図１、図２又は図３(ａ)に示すように、全体的には上下部において同幅の板形状を有し、下部の前端（図３（ａ）の左方側端部）には段差凹部６が形成されている。従って、図６に示すように、本実施例の畳寄せ巾木兼用部材１を巾木として使用した際、段差凹部６に床上の塵や埃が目立たないように寄せ集められることが可能となる。
【００２１】
また、畳寄せ巾木兼用部材１の下部の後端には背面側へ上り勾配を有する切欠き斜面７が形成されている。この切欠き斜面７は、畳寄せ巾木兼用部材１を壁面２に沿って設けたスペーサ９や床面３に載置したとき、スペーサ９や床面３の不陸等を切欠き斜面７で吸収することができるようにしたものである。
【００２２】
また、畳寄せ巾木兼用部材１の前面側の途中には長尺方向に凹溝８が形成され、この凹溝８に皿ビス１０等をねじ込んだ際、その頭部１０ａを目隠し状態で収めることが可能となるものである。なお、凹溝８の上下の角部には糸面８ａが施され、この糸面８ａで角部の損傷を防止すると共に人の身体に対しても優しい感触を与えるものとしている。
【００２３】
また、図３(ａ)又は図３(ｂ)の拡大図に示すように、畳寄せ巾木兼用部材１の背面上部は、背面側に小幅の後方上端部１１を形成すると共に、この後方上端部１１が後面へ傾斜した後方傾斜部１２を有する形状とされている。従って、図４〜図６に示すように、畳寄せ巾木兼用部材１を壁面２に当てたとき、後方傾斜部１２が壁面２に食い込むことによって、畳寄せ巾木兼用部材１の後方傾斜部１２と壁面２との間に隙間が生じない構造となる。
【００２４】
なお、畳寄せ巾木兼用部材１の背面部にはヘアラインが長尺方向に沿って幅広に形成されたヘアライン部１３を有し、このヘアライン部１３に接着剤等を付着することによって壁面２への接着を強固に行うことができるようにしている。
【００２５】
さらに、図１〜図３に示すように、畳寄せ巾木兼用部材１を構成する長尺板形状の天端４には、湾曲状に凹んだ下り勾配を有する傾斜面５が形成されている。また、畳寄せ巾木兼用部材１の天端４における前方上部の突形状のＲ部１７が形成されている。
【００２６】
このような構成により、畳寄せ巾木兼用部材１の天端４全体は、後方から前方へ向けて途中に内側下方へ湾曲状に凹んだ下り勾配を有する傾斜面５を形成しつつ滑らかに前方へ向けて下るという形状を有することになる。
【００２７】
上記の形状によって、畳寄せ巾木兼用部材１の天端４に塵や埃が降りかかったときでも、天端４の湾曲状に凹んだ下り勾配を有する傾斜面５に沿ってそれらの塵や埃を滑り落とすことができ、この天端４に塵や埃が堆積しない衛生的なサニタリー部１６（図４〜図６参照）を形成することが可能となる。
【００２８】
また、特に、図３(ｂ)に示すように、畳寄せ巾木兼用部材１の天端４の背面側近傍は、湾曲状に凹んだ下り勾配を有する傾斜面５が急勾配１５ａを有する状態にある。このため、天端４に降りかかった塵や埃は背面側近傍の急勾配１５ａに沿って前方へ滑り落ち易く、天端４の内部の比較的勾配が緩い勾配面（入りＲ部）１５ｃに留まることとなるが、この内部の比較的勾配が緩い勾配面１５ｃは前方の勾配面１５ｂから掃除機等を入れ易く、清掃を楽に行うことが可能となる。
【００２９】
なお、図３(ｃ)は、本実施例による畳寄せ巾木兼用部材１の寸法例を示すものであり、その寸法は全てｍｍ単位であり、各部の数値は図示の通りである。そこで、その数値の中から要部を選択して説明すると、畳寄せ巾木兼用部材１の全体高さは４５ｍｍであり、厚さは９．５ｍｍである。また、後方傾斜部１２の高さは３ｍｍであり、奥行き幅は０．３ｍｍである。前面の凹溝８の上下幅は７ｍｍであり、奥行き幅は２ｍｍである。段差凹部６の奥行き幅は２ｍｍであり、高さは３ｍｍである。後方傾斜部１２の上下幅は３ｍｍであり、奥行き幅は４．５ｍｍである。背面のヘアライン部１３は上下幅が３０ｍｍである。天端４に形成された傾斜面５の全体の奥行き幅は８ｍｍ、高さは５ｍｍである。また、この傾斜面５を有する天端４に下方内側に向けて湾曲状に凹んだＲ８（半径８ｍｍ）を成す入りＲ部１５ｃが形成されたこととなる。
【００３０】
さらに、天端４の傾斜面５と後方上端部１１との間の湾曲形状はＲ０．５（半径０．５ｍｍ）であり、突形状のＲ部１７の湾曲形状はＲ１（半径１ｍｍ）である。なお、その他の部位に関する寸法は説明を省略するが、図示の通りである。また、図３(ｃ)に示す各部の寸法は、本実施例の一例であり、他の数値を用いた形状にすることも可能である。
【００３１】
次に、上記の本実施例の畳寄せ巾木兼用部材１を用いた施工について説明する。なお、下記の説明において、図４〜図６に示す畳寄せ巾木兼用部材１の上部には壁面２に沿ってビニールクロス２３を施した構成としている。
【００３２】
図４に示すように、上記の畳寄せ巾木兼用部材１を畳寄せとして使用し、コンクリート打放しの壁面２に使用した場合、床下地材１８の上面と壁面２との隅部において、下部にスペーサ９を介して畳寄せ巾木兼用部材１を載置する。また、畳寄せ巾木兼用部材１の凹溝８に所定間隔をあけて皿ビス１０をねじ込むことによって畳寄せ巾木兼用部材１を壁面２に固定した後、畳寄せ巾木兼用部材１の前面に畳１９を寄せることができる。
【００３３】
また、図５に示すように、本実施例の畳寄せ巾木兼用部材１を畳寄せとして使用し、ＧＬ工法の壁部に設けた場合も同様に、床下地材１８の上面と壁面２との隅部において、下部にスペーサ９を介して畳寄せ巾木兼用部材１を載置する。そして、この畳寄せ巾木兼用部材１の凹溝８に所定間隔をあけて皿ビス１０をねじ込むことによって壁面２の石膏ボード２０に固定した状態で畳寄せ巾木兼用部材１の前面に畳１９を寄せることができる。なお、図５において、壁面２はＧＬ工法で構築してあり、２１は団子状の接着剤として用いるＧＬボンドである。
【００３４】
上記のように、本実施例の畳寄せ巾木兼用部材１を畳寄せとして使用した場合、上記のいずれの工法であっても、天端４の湾曲状に凹んだ下り勾配を有する傾斜面５が、畳１９の上面から壁面２に向かって湾曲形状にせり上がったサニタリー部１６を形成することとなり、畳１９の上面と壁面２との隅部を掃除機等によって清掃し易い形状とすることが可能となる。
【００３５】
さらに、図６に示すように、本実施例の畳寄せ巾木兼用部材１を巾木として使用した場合、床面３に敷設したフローリング２２の上面と壁面２との隅部に畳寄せ巾木兼用部材１を載置すると共に、この畳寄せ巾木兼用部材１を壁面２のボード２０に固定する。この固定方法は、凹溝８に皿ビス１０を取付けるほか、背面のヘアライン部１３に接着剤を塗布して壁面２に接着するようにしてもよい。
【００３６】
上記のように、本実施例の畳寄せ巾木兼用部材１を巾木として使用した場合、床面３に敷設したフローリング２２から所定高さだけ立ち上がった部位で天端４の湾曲状に凹んだ下り勾配を有する傾斜面５が形成され、この傾斜面５には塵や埃を溜めにくく、且つ清掃し易いサニタリー部１６を形成することが可能となる。
【産業上の利用可能性】
【００３７】
本考案の畳寄せ巾木兼用部材は、壁面と床面との隅部に用いる畳寄せと巾木とを兼用することができ、しかもその部材の天端に塵や埃がたまりにくい構造とすることにより、衛生面及び健康面にも留意した畳寄せ巾木兼用部材として利用可能である。
【符号の説明】
【００３８】
１  畳寄せ巾木兼用部材
２  壁面
３  床面
４  長尺板形状の天端
５  天端の傾斜面
６  段差凹部
７  切欠き斜面
８  凹溝
８ａ  糸面
９  スペーサ
１０  皿ビス
１０ａ  頭部
１１  後方上端部
１２  後方傾斜部
１３  ヘアライン部
１４  湾曲状に凹んだ下り勾配
１５ａ  後方の急勾配
１５ｂ  前方の勾配面
１５ｃ  入りＲ部
１６  サニタリー部
１７  前方上部のＲ部
１８  床下地材
１９  畳
２０  石膏ボード
２１  接着剤（ＧＬボンド）
２２  フローリング
２３  ビニールクロス
【図１】
0003185076.tif 000003
【図２】
0003185076.tif 000004
【図３】
0003185076.tif 000005
【図４】
0003185076.tif 000006
【図５】
0003185076.tif 000007
【図６】
0003185076.tif 000008